(57)【要約】【課題】暖房運転における液体循環ポンプの消費電力を削減する。【解決手段】暖房用液体循環通路から高温暖房装置と低温暖房装置に熱媒体の液体を供給して加熱する。暖房加熱制御手段２は、高温暖房装置に高温設定温度の液体を供給しながら高温暖房装置を通って放熱された液体を低温暖房装置に供給して高温設定温度より低い温度の液体を低温暖房装置に供給する高低暖房同時運転モードの動作時に、高温暖房装置の運転終了予定時刻である高温暖房終了予定時刻と低温暖房装置の運転終了予定時刻である低温暖房終了予定時刻の情報を取り込む。高温暖房終了予定時刻から低温暖房終了予定時刻までの時間が設定許容時間以内のときには、高温暖房終了予定時刻よりも手前の設定時刻から高温暖房終了予定時刻までの間、低温暖房装置にも高温設定温度またはその近傍温度の液体を供給し、高温暖房終了予定時刻に低温暖房装置と高温暖房装置の運転を同時終了させる。【選択図】図１
2014089027.tif 000002
【特許請求の範囲】
【請求項１】
熱媒体の液体を循環させる液体循環ポンプを備えた暖房用液体循環通路を有し、該暖房用液体循環通路には前記液体循環ポンプの駆動により循環する液体を加熱する暖房用熱交換器が設けられて、該暖房用熱交換器により加熱された液体を前記暖房用液体循環通路に接続される高温暖房装置と低温暖房装置とにそれぞれ液体の供給経路を切り替えて供給する暖房個別運転モードの機能と、前記暖房用液体循環通路から前記高温暖房装置に予め定められた高温設定温度の液体を供給しながら前記高温暖房装置を通って放熱された液体を前記低温暖房装置に供給することにより前記高温設定温度よりも低い温度の液体を前記低温暖房装置に供給する高低暖房同時運転モードの機能を有する熱源装置であって、該高低暖房同時運転モードの動作時に前記高温暖房装置の運転終了予定時刻である高温暖房終了予定時刻と前記低温暖房装置の運転終了予定時刻である低温暖房終了予定時刻の情報をそれぞれ取り込み、前記高温暖房終了予定時刻よりも前記低温暖房終了予定時刻が遅く、かつ、前記高温暖房終了予定時刻から前記低温暖房終了予定時刻までの時間が予め定められた設定許容時間以内のときには、前記高温暖房終了予定時刻よりも手前の予め定められる設定時刻から前記高温暖房終了予定時刻までの間に前記低温暖房装置にも前記高温設定温度または該高温設定温度近傍の温度の液体を供給して前記高温暖房終了予定時刻に前記低温暖房装置と前記高温暖房装置の運転を同時に終了させる暖房加熱制御手段を有することを特徴とする熱源装置。
【発明の詳細な説明】
【技術分野】
【０００１】
本発明は、暖房装置に熱媒体の液体を供給する機能を備えた熱源装置に関するものである。
【背景技術】
【０００２】
図２には、床暖房に用いる温水マット等の暖房装置に温水等の熱媒体の液体を供給する機能を備えた熱源装置の一例が示されている（例えば、特許文献１、参照）。
【０００３】
同図において、浴室暖房乾燥機等の高温暖房装置１０ａと温水マット等の低温暖房装置１０ｂ，１０ｃに熱媒体の液体（例えば温水）を供給する機能を備えた暖房用液体循環通路５が、器具ケース４２内に設けられた管路８９，９０，９１，９２，９３，９４，９５，９６，９７，９８，９９を有して形成されており、器具ケース４２の外部に設けられた管路４０，４１，４４，４５，５９に接続されている。
【０００４】
管路４０は管路９７に接続され、管路４１，４４は液体合流手段１１５と管路５９と介して管路９５に接続され、管路４５は液体分岐手段３７を介して管路９０に接続されている。管路４０，４１には、高温暖房装置１０ａの内部通路５１が接続され、管路４４，４５には、低温暖房装置１０ｂ，１０ｃの内部通路５２がそれぞれ接続されており、高温暖房装置１０ａには熱動弁１２が設けられている。なお、液体分岐手段３７と液体合流手段１１５には、必要に応じ、同図に示している他にも暖房装置を接続することができる。
【０００５】
暖房用液体循環通路５には、該暖房用液体循環通路５に液体を循環させる液体循環ポンプ６と、該液体循環ポンプ６の駆動により循環する液体を加熱する暖房用交換器２８（２８ａ，２８ｂ）が設けられている。暖房用熱交換器２８ａの液体導入側には管路９５が、液体導出側には管路９４がそれぞれ接続されており、暖房用熱交換器２８ｂの液体導入側には管路９１が、液体導出側には管路９２がそれぞれ接続されている。管路９２には、暖房高温サーミスタ３３が設けられており、暖房高温サーミスタ３３は、暖房用熱交換器２８ｂから出る液体の温度を検出する。
【０００６】
また、管路９１は、前記液体循環ポンプ６の吐出側に、管路９０と共に接続されており、管路９１には、暖房用熱交換器２８ｂに導入される暖房用液体循環通路５内の液体の温度を検出する暖房低温サーミスタ３６が設けられている。また、液体循環ポンプ６の吸入口側には前記管路９３が接続されており、管路９３と管路９４との間にはシスターン装置１００が介設されている。シスターン装置１００は、その上部側に大気開放部を有し、また、シスターン装置１００にはオーバーフロー通路５３が接続されている。
【０００７】
暖房用熱交換器２８（２８ａ，２８ｂ）は、それぞれ、燃焼室２４内に設けられており、燃焼室２４には、暖房用熱交換器２８と共に、暖房用熱交換器２８を加熱するバーナ１６と、バーナ１６の燃焼の給排気を行なう燃焼ファン１８とが設けられている。また、燃焼室２４と連通して燃焼室２５が設けられ、燃焼室２５内には、バーナ１７と、バーナ１７により加熱される給湯熱交換器２９（２９ａ，２９ｂ）と、バーナ１７の燃焼の給排気を行なう燃焼ファン１９とが設けられている。
【０００８】
バーナ１６，１７には、それぞれのバーナ１６，１７に燃料を供給するガス管３１，３２が接続されている。これらのガス管３１，３２は、ガス管３０から分岐形成されており、ガス管３０には、ガス開閉弁８０が介設されている。また、ガス管３１には、ガス比例弁８６とガス開閉弁８１，８２が、ガス管３２には、ガス比例弁８７とガス開閉弁８３，８４，８５がそれぞれ介設されている。これらの弁８０〜８７はいずれも電磁弁により形成されており、ガス開閉弁８０〜８５は、対応するバーナ１６，１７への燃料供給・停止を制御し、ガス比例弁８６，８７は、対応するバーナ１６，１７への供給燃料量を弁開度でもって制御する。
【０００９】
前記給湯熱交換器２９ａの入口側には給水導入通路８８が設けられている。この給水導入通路８８は、接続通路５７と補給水電磁弁４６を介して、前記シスターン装置１００に接続され、前記暖房用液体循環通路５に接続されている。給水導入通路８８の入口側には、給水導入通路８８を流れる湯水の量を検出する流量センサ７３と入水温度を検出する入水温度センサ７４が設けられている。また、熱交換器２９ｂの出口側には給湯通路２６が設けられており、給湯通路２６の先端側は、適宜の給湯先に導かれている。給湯通路２６には、分岐通路７０と湯水経路切替弁５８を介して前記給水導入通路８８が接続されており、給湯通路２６には、分岐通路７０の分岐部よりも下流側に出湯湯温検出センサ１１３が設けられ、熱交換器２９側に出湯湯温検出センサ１１４が設けられている。
【００１０】
また、前記暖房用液体循環通路５には、液―液熱交換器７を介して追い焚き循環通路１３が熱的に接続されており、この追い焚き循環通路１３は、往管１４と戻り管１５を有して浴槽２７に接続されている。なお、暖房用液体循環通路５の液―液熱交換器７を形成する管路８９には、液―液熱交換器７の入口に流量制御弁３８が設けられている。追い焚き循環通路１３には、浴槽湯水を循環させる浴槽湯水循環ポンプ２０が設けられ、液−液熱交換器７は、浴槽湯水循環ポンプ２０の駆動によって追い焚き循環路１３を循環する浴槽湯水を加熱する風呂熱交換器と成している。
【００１１】
また、追い焚き循環通路１３には、浴槽湯水の温度を検出する浴槽湯水温検出手段としての風呂温度センサ２１と、浴槽湯水の水位を検出する水位センサ２２と、追い焚き循環路１３の水流を検知する風呂水流スイッチ３４とが介設されている。浴槽湯水循環ポンプ２０の吸入口側に、戻り管１５の一端側が接続され、戻り管１５の他端側が循環金具５６を介して浴槽２７に連通接続されている。浴槽湯水循環ポンプ２０の吐出口側には、往管１４の一端側が接続され、往管１４の他端側は循環金具５６を介して浴槽２７に連通接続されている。
【００１２】
前記給湯通路２６には、分岐通路７０の形成部および出湯湯温検出センサ１１３の配設部よりも下流側に、管路５４を介して注湯水ユニット５５が接続されている。注湯水ユニット５５には風呂用注湯導入通路２３の一端側が接続され、風呂用注湯導入通路２３の他端側は、前記浴槽湯水循環ポンプ２０に接続されている。注湯水ユニット５５には、湯張り電磁弁４８、湯張り水量センサ４９、逆止弁５０ａ，５０ｂが設けられている。なお、熱交換器２９から給湯通路２６と管路５４、注湯水ユニット５５、風呂用注湯導入通路２３、浴槽湯水循環ポンプ２０、液−液熱交換器７、往管１４を順に通って浴槽２７に至るまでの通路によって、湯張りや注水を行うための湯張り注水通路が構成されている。また、図２の、図中、符号７５、７７は、ドレン排出通路を示し、符号７６は、ドレンを中和する中和手段を示す。
【００１３】
この熱源装置において、暖房用液体循環通路５から加熱された液体を高温暖房装置１０ａにのみ供給する場合と、低温暖房装置１０ｂ，１０ｃにのみ供給する場合には、それぞれ、液体の供給経路を切り替えて供給する暖房個別運転モードの機能による動作が行われる。これらの動作は、熱源装置の器具ケース４２内に設けられた図示されていない暖房加熱制御手段の制御にしたがって行われるものである。
【００１４】
例えば、高温暖房装置１０ａのみの運転を行うときには、暖房加熱制御手段は、流量制御弁３８を閉じた状態として、バーナ１６の燃焼制御および燃焼ファン１８の回転制御によって、暖房高温サーミスタ３３の検出温度が８０℃となるように暖房用熱交換器２８ａ，２８ｂを加熱すると共に、液体循環ポンプ６を駆動させる。加熱された液体は暖房用熱交換器２８ｂから約８０℃で導出され、図２の矢印Ａ、Ｂに示すように、管路９２，９７，４０を順に通って高温暖房装置１０ａに供給され、高温暖房装置１０ａには８０℃程度の高温設定温度の液体が供給される。
【００１５】
この高温暖房装置１０ａに供給された液体は、高温暖房装置１０ａの管路５１を通るときに放熱して、その温度が例えば６０℃程度に下がった状態で、管路４１，５９を通り、矢印Ｃに示すように、管路９５を順に通って暖房用熱交換器２８ａに導入され、暖房用熱交換器２８ａによって加熱される。この加温された液体は、矢印Ｄに示すように管路９４を通ってシスターン装置１００に導入され、シスターン装置１００を通った後に、矢印Ｅに示すように、管路９３を通り、液体循環ポンプ６に導入される。その後、液体は、矢印Ｆに示すように、管路９１を通って暖房用熱交換器２８ｂに導入され、暖房用熱交換器２８ｂによって加熱されて、前記と同様にして暖房用液体循環通路５を循環する。
【００１６】
また、低温暖房装置１０ｂ，１０ｃのみの運転を行うときには、暖房低温サーミスタ３６の温度が６０℃となるようにバーナ１６の燃焼制御および燃焼ファン１８の回転制御等が行われる。つまり、低温暖房装置１０ｂ，１０ｃの運転時には、暖房用熱交換器２８ｂからは適宜の温度の液体が導出され、暖房加熱制御手段の制御により低温能力切替弁（低温能力切替熱動弁）４７を開くことにより高温暖房装置１０ａにのみ液体を供給する場合とは液体の供給経路が切り替えられる。
【００１７】
つまり、液体を図２の矢印Ｃ、Ｄ、Ｅ、Ｆに示すように循環させながら、管路９２を通った液体を、低温能力切替弁４７を開くことによって管路９８を通して管路９４に導入し、シスターン１００側から液体循環ポンプ６側に向けて図の矢印Ｅに示すように通る液体と共に、液体循環ポンプ６を介し、図の矢印Ｇに示すように、液体を管路９０，４５に順に通して温水マット１０ｂ，１０ｃに導入する低温暖房用循環経路での液体供給を行う。温水マット１０ｂ，１０ｃを通った液体は、管路４４、液体合流手段１１５を介して管路９５に戻す。
【００１８】
また、低温暖房装置１０ｂ，１０ｃの運転開始直後には、低温暖房装置１０ｂ，１０ｃの内部通路５１，５２や管路４４，４５内の液体が冷えている状態であり、このように液体を冷たい状態から加熱する場合のホットダッシュ運転（コールドスタート）では、例えば１５分といった予め定められたホットダッシュ設定時間だけ、暖房高温サーミスタ３３の検出温度が例えば８０℃のホットダッシュ設定温度になるように（暖房低温サーミスタ３６の温度はなりゆきで７０℃程度となるように）低温能力切替弁４７を開く、またはその開弁量を大きくする調節が行われ、ホットダッシュ設定温度の液体が低温暖房装置１０ｂ，１０ｃに供給されるようにする。
【００１９】
以上のようにして低温暖房装置１０ｂ，１０ｃに供給された液体は、低温暖房装置１０ｂ，１０ｃを通って放熱し、例えば４０℃以下の低温となった後、管路４４を通り、管路９５に導入され、前記と同様に、暖房用液体循環通路５を循環する。
【００２０】
また、高温暖房装置１０ａと低温暖房装置１０ｂ，１０ｃを同時に運転する場合、高低暖房同時運転モードの機能による動作が行われる。つまり、流量制御弁３８は閉じておき、高温暖房装置１０ａには、前記の如く、暖房用液体循環通路５を通して暖房用熱交換器２８ｂから直接的に約８０℃といった高温設定温度の液体を供給しながら、高温暖房装置１０ａの管路５１を通るときに放熱して例えば６０℃程度に下がった状態の液体を、管路４１，５９，９５、暖房用熱交換器２８ａ、管路９４、シスターン装置１００、管路９３、液体循環ポンプ６、管路９０に、順に通して低温暖房装置１０ｂ，１０ｃに供給する。
【００２１】
なお、表１には、以上のように、高温暖房装置１０ａのみの運転を行うとき（表１では高温）、低温暖房装置１０ｂ，１０ｃのみの運転を行うとき（表１では低温）、ホットダッシュ運転時、低温暖房装置１０ｂ，１０ｃと高温暖房装置１０ａを同時に運転するとき（表１では高低同時）における、低温能力切替弁４７と流量制御弁３８の開閉動作と暖房低温サーミスタ３６および暖房高温サーミスタ３３により検出される温度の目標温度（暖房運転時に、これらのサーミスタ３３，３６の温度が、この目標温度となるように制御を行う）がそれぞれ示され、さらに、浴槽２７内の湯水の追い焚きを行うときについても同様に示されている。
【００２２】
【表１】
2014089027.tif 000003
【先行技術文献】
【特許文献】
【００２３】
【特許文献１】特開平８―３５６７５号公報
【発明の概要】
【発明が解決しようとする課題】
【００２４】
ところで、例えば、冬季に、利用者が洗濯物を浴室暖房乾燥機（高温暖房装置１０ａ）により乾燥しながらリビングに配置された温水マット（低温暖房装置１０ｂ，１０ｃ）を作動させて床暖房を行い、リビングで昼食を採るといった場合がある。この場合、高温暖房装置１０ａと低温暖房装置１０ｂ，１０ｃの同時運転が前記のように高低暖房同時運転モードの機能により行われ、高温暖房装置１０ａの運転が先に終了した場合には、熱動弁１２が閉じて、液体は、図２の矢印Ｂ方向へは流れずに矢印Ａ、Ｂ’、Ｃ、Ｄ、Ｅに示す順に通されて暖房装置１０ｂ，１０ｃに供給され、低温暖房装置１０ｂ，１０ｃの加熱運転の終了時まで液体の循環が継続される。つまり、液体循環ポンプ６は、暖房装置１０ａ，１０ｂ，１０ｃの全ての運転が終了するまで駆動が（連続的または断続的に）継続され、運転終了時に停止することになる。
【００２５】
しかしながら、液体循環ポンプ６の駆動電力は小さくはなく、近年、節電の要求が高まっている中、本発明者は、前記のような暖房装置への加熱された熱媒体供給が可能な熱源装置において、例えば液体循環ポンプ６の消費電力を小さくして消費電力の削減ができないかと考えた。
【００２６】
本発明は、本発明者の考えに基づいてなされたものであり、その目的は、暖房装置への加熱された熱媒体供給が可能な熱源装置において、熱媒体を循環させる液体循環ポンプの消費電力の削減が可能な熱源装置を提供することにある。
【課題を解決するための手段】
【００２７】
本発明は上記目的を達成するために、次の構成をもって課題を解決する手段としている。すなわち、本発明は、熱媒体の液体を循環させる液体循環ポンプを備えた暖房用液体循環通路を有し、該暖房用液体循環通路には前記液体循環ポンプの駆動により循環する液体を加熱する暖房用熱交換器が設けられて、該暖房用熱交換器により加熱された液体を前記暖房用液体循環通路に接続される高温暖房装置と低温暖房装置とにそれぞれ液体の供給経路を切り替えて供給する暖房個別運転モードの機能と、前記暖房用液体循環通路から前記高温暖房装置に予め定められた高温設定温度の液体を供給しながら前記高温暖房装置を通って放熱された液体を前記低温暖房装置に供給することにより前記高温設定温度よりも低い温度の液体を前記低温暖房装置に供給する高低暖房同時運転モードの機能を有する熱源装置であって、該高低暖房同時運転モードの動作時に前記高温暖房装置の運転終了予定時刻である高温暖房終了予定時刻と前記低温暖房装置の運転終了予定時刻である低温暖房終了予定時刻の情報をそれぞれ取り込み、前記高温暖房終了予定時刻よりも前記低温暖房終了予定時刻が遅く、かつ、前記高温暖房終了予定時刻から前記低温暖房終了予定時刻までの時間が予め定められた設定許容時間以内のときには、前記高温暖房終了予定時刻よりも手前の予め定められる設定時刻から前記高温暖房終了予定時刻までの間に前記低温暖房装置にも前記高温設定温度または該高温設定温度近傍の温度の液体を供給して前記高温暖房終了予定時刻に前記低温暖房装置と前記高温暖房装置の運転を同時に終了させる暖房加熱制御手段を有する構成をもって課題を解決する手段としている。
【発明の効果】
【００２８】
本発明によれば、暖房用液体循環通路に接続される高温暖房装置と低温暖房装置の同時運転を行うときには、暖房用液体循環通路から高温暖房装置に予め定められた高温設定温度の液体を供給しながら、高温暖房装置を通って放熱された液体を低温暖房装置に供給することにより高温設定温度よりも低い温度の液体を低温暖房装置に供給する高低暖房同時運転モードでの運転を行うが、該高低暖房同時運転モードの動作時に、暖房加熱制御手段が高温暖房装置の運転終了予定時刻である高温暖房終了予定時刻と前記低温暖房装置の運転終了予定時刻である低温暖房終了予定時刻の情報をそれぞれ取り込み、以下の制御を行う。
【００２９】
つまり、前記高温暖房終了予定時刻よりも前記低温暖房終了予定時刻が遅く、かつ、前記高温暖房終了予定時刻から前記低温暖房終了予定時刻までの時間が予め定められた設定許容時間以内のときには、前記高温暖房終了予定時刻よりも手前の予め定められる設定時刻から前記高温暖房終了予定時刻までの間に、前記低温暖房装置にも、前記高温設定温度またはその近傍の温度の液体を供給して前記高温暖房終了予定時刻に前記低温暖房装置と前記高温暖房装置の運転を同時に終了させる。
【００３０】
そのため、液体循環ポンプの駆動時間を短くすることができるために、液体循環ポンプの消費電力を削減することができる。また、低温暖房装置への液体の供給は、低温暖房終了予定時刻よりも手前の時刻に終了することになるが、低温暖房装置には前記設定時刻から前記高温暖房終了予定時刻までの間、高温設定温度またはその近傍の温度の液体を供給することにより、低温暖房装置の通常運転時よりも高い温度の液体が供給されるので、液体の供給が早めに終了しても、供給された液体の保有熱量によって十分な加熱を行うことができる。
【図面の簡単な説明】
【００３１】
【図１】本発明に係る熱源装置の一実施例の制御構成を示す説明図である。
【図２】熱源装置のシステム構成例を模式的に示す説明図である。
【発明を実施するための形態】
【００３２】
以下、本発明の実施の形態を図面に基づき説明する。なお、本実施例の説明において、従来例と同一名称部分には同一符号を付し、その重複説明は省略または簡略化する。
【実施例】
【００３３】
本実施例の熱源装置のシステム構成は、図２に示した熱源装置と同様であり、本実施例の特徴的なことは、図１に示す特徴的な制御構成を有することである。つまり、本実施例では、熱源装置内の制御装置１内に、暖房加熱制御手段２、メモリ部３、時計機構４が設けられており、制御装置１は、高温暖房装置１０ａの制御のための操作を行う高温暖房用リモコン装置８と、低温暖房装置１０ｂ，１０ｃの制御のための操作を行う低温暖房用リモコン装置９とに信号接続されている。
【００３４】
暖房加熱制御手段２は、従来例と同様に、前記暖房個別運転モードの動作時および前記高低暖房同時運転モードの動作時に、それぞれ、暖房用液体循環通路５から、暖房用熱交換器２８で加熱された液体を高温暖房装置１０ａ，１０ｂ，１０ｃに適宜供給し、これらの高温暖房装置１０ａ〜１０ｃを加熱する際に、バーナ１６の燃焼制御による暖房用熱交換器２８の加熱制御と液体循環ポンプ６の駆動制御を行うものであるが、本実施例では従来例とは異なる以下に述べる特徴的な制御を行う。
【００３５】
つまり、暖房加熱制御手段２は、前記高低暖房同時運転モードの動作時に、高温暖房リモコン装置８から高温暖房装置１０ａの運転終了予定時刻である高温暖房終了予定時刻の情報（例えば高温暖房リモコン装置８により設定される運転の切タイマの設定情報）を取り込み、低温暖房リモコン装置９から低温暖房装置１０ｂ，１０ｃの運転終了予定時刻である低温暖房終了予定時刻の情報（例えば低温暖房リモコン装置９により設定される運転の切タイマの設定情報）を取り込む。
【００３６】
そして、前記高温暖房終了予定時刻よりも前記低温暖房終了予定時刻が遅く、かつ、前記高温暖房終了予定時刻から前記低温暖房終了予定時刻までの時間が予め定められた設定許容時間（例えば１５分）以内のときには、前記高温暖房終了予定時刻よりも手前の予め定められる設定時刻（例えば前記高温暖房終了予定時刻の５分前）から前記高温暖房終了予定時刻までの間に、前記ホットダッシュ運転時と同様の、低温能力切替弁４７の開弁量調節や低温能力切替弁４７の開弁動作によって、低温暖房装置１０ｂ，１０ｃにも、なりゆきで約７０℃といった高温設定温度またはその近傍の液体を供給する。そして、前記高温暖房終了予定時刻に、低温暖房装置１０ｂ，１０ｃと高温暖房装置１０ａの運転を同時に終了させる。
【００３７】
そのため、本実施例では、液体循環ポンプ６の駆動時間を短くすることができ、液体循環ポンプ６の消費電力を削減することができる。また、高温暖房終了予定時刻よりも手前の前記設定時刻から前記高温暖房終了予定時刻までの間は、低温暖房装置１０ｂ，１０ｃの通常運転時よりも高い高温設定温度またはその近傍の温度の液体がこれらの低温暖房装置１０ｂ，１０ｃに供給されるので、液体の供給が早めに終了しても、供給された液体の保有熱量によって十分な加熱を行うことができる。
【００３８】
なお、本実施例に適用されている熱源装置は、暖房機能に加え、給湯機能を有しており、バーナ１７の燃焼によって熱交換器２９を通る水を加熱して湯を形成して、適宜の給湯先に給湯することができるし、形成した湯を前記湯張り注水通路を通して湯を浴槽２７に注ぐことによって浴槽２７への湯張り（自動湯張り動作）を行うこともできる。
【００３９】
また、本実施例において、暖房用液体循環通路５内の液体を、図２の矢印Ｂ’に示すように、液−液熱交換器７に通しながら循環させると共に、浴槽湯水循環ポンプ２０を駆動させて、図２の矢印Ｈに示すように、追い焚き循環通路１３内に浴槽湯水を循環させ、この浴槽湯水と暖房用液体循環通路５を通る液体とを液―液熱交換器７を介して熱交換することにより、浴槽２７内の湯水の追い焚き動作を行うことができるが、これらの機能や動作についての詳細説明は省略する。
【００４０】
なお、本発明は、前記実施例に限定されるものでなく、適宜設定されるものである。例えば、前記実施例では、暖房機能に加え、給湯機能、自動湯張り機能、風呂の追い焚き機能を備えた複合装置としたが、暖房機能以外の機能は設けてもよいし、設けなくてもよい。
【００４１】
また、前記実施例では、高温暖房装置１０ａと低温暖房装置１０ｂ，１０ｃの高低暖房同時運転モードの動作時に、高温暖房装置１０ａの終了予定時刻から低温暖房装置１０ｂ，１０ｃの終了予定時刻までの時間が設定許容時間以内のときには、高温暖房終了予定時刻の５分前から低温暖房装置１０ｂ，１０ｃにも高温設定温度またはその近傍の液体を供給開始するようにしたが、この高温設定温度またはその近傍の液体の供給開始時刻は高温暖房終了予定時刻の５分前とは限らず、適宜設定されるものである。なお、高温設定温度またはその近傍の液体の供給開始時刻が早すぎると、低温暖房装置１０ｂ，１０ｃの配設領域が熱すぎると感じることがあり、遅すぎると低温暖房装置１０ｂ，１０ｃの配設領域の温度が低下する時刻が早まってしまうので、前記液体の供給開始時刻を実験等のデータに基づいて設定するとよく、低温暖房装置１０ｂ，１０ｃが温水マットの場合に、その温水マットが配設されている室温等の情報に応じて可変してもよい。
【００４２】
さらに、本発明の熱源装置は、例えば前記実施例で設けたガス燃焼を行うバーナの代わりに、石油燃焼用のバーナを設けてもよいし、電熱ヒータを設けてもよい。また、暖房用液体循環通路５内に循環させる液体は、水とは限らず、例えば不凍液等の他の液体としてもよい。
【産業上の利用可能性】
【００４３】
本発明の熱源装置は、暖房運転における液体循環ポンプの消費電力削減ができるので、省エネ化が可能となり、例えば家庭用の熱源装置として利用できる。
【符号の説明】
【００４４】
１      制御装置
２      暖房加熱制御手段
３      メモリ部
５      暖房用液体循環通路
６      液体循環ポンプ
８      高温暖房用リモコン装置
９      低温暖房用リモコン装置
１０    暖房装置
１１    制御装置
１６，１７  バーナ
２８    暖房用熱交換器
３３    暖房高温サーミスタ
３６    暖房低温サーミスタ
【図１】
2014089027.tif 000004
【図２】
2014089027.tif 000005